(57)【要約】【課題】  メダルセレクター内でのメダル詰まりを解消するリジェクトボタンの組付性を向上させるとともに、前面パネルの装飾効果を高める。【解決手段】  前面パネル２ｂにおけるメダル詰まり解消部材とほぼ対向す部分に、前扉２ａの裏面に設けた光源の光を透過させうる装飾レンズ（パネル）２５ｂを装着し、この装飾レンズ２５ｂに、リジェクトボタン３４を設ける。【選択図】  図１
2006061339.tif 000002
【特許請求の範囲】
【請求項１】
前扉におけるメダル投入口の下方のメダル通路に設けられ、該メダル通路内で発生したメダル詰まりを解消するメダル詰まり解消部材を、前記前扉の前面パネルより突出するリジェクトボタンを押動操作して前記メダル通路を開放しうる方向に移動させることにより、該メダル通路に詰まったメダルを外部に排出しうるようにした遊技機において、
前記前面パネルにおける前記メダル詰まり解消部材とほぼ対向する部分に、前記前扉に設けた光源の光を透過させうる装飾パネルを装着し、この装飾パネルに、前記リジェクトボタンを押動可能に設けたことを特徴とする遊技機。
【請求項２】
メダル詰まり解消部材を、メダル投入口より投入されたメダルの真偽を判別するメダルセレクターの後面に、互いの対向面間にメダル通路が形成されるように、前後方向に回動可能に設けるとともに、リジェクトボタンの後端を、前記メダル詰まり解消部材を後向きに押動させうるように、その前面と対向させてなる請求項１記載の遊技機。
【請求項３】
装飾パネルを、前面パネルに形成した切欠凹部に着脱可能に装着した請求項１または２記載の遊技機。
【請求項４】
装飾パネルの裏面に、リジェクトボタンを後方に押動可能に嵌装しうる保持筒を設けた請求項１〜３のいずれかに記載の遊技機。
【請求項５】
保持筒に、リジェクトボタンと、それを常時前方に向かって付勢する付勢手段と、リジェクトボタンの抜け止め手段とを、予め一体的に組付けてなる請求項４記載の遊技機。
【発明の詳細な説明】
【技術分野】
【０００１】
本発明は、例えばスロットマシン等の遊技機に係り、特に、メダルセレクター内でのメダル詰まりを解消する際に操作されるリジェクトボタンの取付構造を改良したものに関する。
【背景技術】
【０００２】
スロットマシン等の遊技機においては、前扉のメダル投入口より投入されたメダルが、前扉の裏面に設けられたメダルセレクター内部において詰まった際に、このメダル詰まりを解消するためのリジェクトボタン（メダル詰まり解消ボタン）を備えているのが一般的である（例えば特許文献１参照）。
【特許文献１】特開２００１−１２０７１０号公報（図１、３）
【発明の開示】
【発明が解決しようとする課題】
【０００３】
上記特許文献１に記載されている従来の遊技機においては、リジェクトボタンは、メダル投入口、ストップボタン、ベットボタン及びスタートレバー等を有する前扉の前面パネル（前面枠）に直接取付けられているため、リジェクトボタンを単独で組付けたり、取外したりすることができず、その組付性が悪く、またメンテナンス等を行なう際の作業性が悪い。
【０００４】
また、リジェクトボタンが前面パネルに直接取付けられていると、その分、前面パネルの装飾領域が小さくなったり、デザイン上の設計の自由度が制約されたりして、見栄えが悪くなる。
【０００５】
本発明は、上問題点に鑑みてなされたもので、リジェクトボタンの組付性やメンテナンス性を向上させるとともに、前面パネルの装飾効果やデザイン上の設計の自由度を高めて、見栄えを向上させうるようにした遊技機を提供することを目的としている。
【課題を解決するための手段】
【０００６】
本発明によると、上記課題は、次のようにして解決される。
(１)前扉における、メダル投入口の下方のメダル通路に設けられ、該メダル通路内で発生したメダル詰まりを解消するメダル詰まり解消部材を、前記前扉の前面パネルより突出するリジェクトボタンを押動操作して前記メダル通路を開放しうる方向に移動させることにより、該メダル通路に詰まったメダルを外部に排出しうるようにした遊技機において、前記前面パネルにおける前記メダル詰まり解消部材とほぼ対向する部分に、前記前扉に設けた光源の光を透過させうる装飾パネルを装着し、この装飾パネルに、前記リジェクトボタンを押動可能に設ける。
【０００７】
(２)上記(１)項において、メダル詰まり解消部材を、メダル投入口より投入されたメダルの真偽を判別するメダルセレクターの後面に、互いの対向面間にメダル通路が形成されるように、前後方向に回動可能に設けるとともに、リジェクトボタンの後端を、前記メダル詰まり解消部材を後向きに押動させうるように、その前面と対向させる。
【０００８】
(３)上記(１)または(２)項において、装飾パネルを、前面パネルに形成した切欠凹部に着脱可能に装着する。
【０００９】
(４)上記(１)〜(３)項のいずれかにおいて、装飾パネルの裏面に、リジェクトボタン後方に押動可能に嵌装しうる保持筒を設ける。
【００１０】
(５)上記(４)項において、保持筒に、リジェクトボタンと、それを常時前方に向かって付勢する付勢手段と、リジェクトボタンの抜け止め手段とを、予め一体的に組付ける。
【発明の効果】
【００１１】
本発明によれば、次のような効果を奏することができる。
請求項１記載の発明によれば、メダル詰まり解消部材をメダル通路を開放する方向に移動させるリジェクトボタンを、前面パネルとは別体の装飾パネルに設けたことにより、リジェクトボタンの取付作業を、前面パネルに他の部品を取付ける作業と切り離して行うことができ、作業性が向上する。
また、前面パネルに直接リジェクトボタンを設けていないため、前面パネルの装飾領域を増大させたり、そのデザイン上の設計の自由度を高めたりすることができ、前面パネルの見栄えが向上する。
【００１２】
請求項２記載の発明によれば、リジェクトボタンを押動操作することにより、メダルセレクターでのメダル詰まりを容易に解消しうるだけでなく、リジェクトボタンとメダル詰まり解消部材とは、互いに対向しており、それらを特別な連係手段により連係していないので、リジェクトボタンや装飾パネルの組付作業がよくなる。
【００１３】
請求項３記載の発明によれば、大型の前面パネルを取外すことなく、装飾パネルのみを取外すだけで、リジェクトボタンのメンテナンス等を容易に行うことができる。
【００１４】
請求項４記載の発明によれば、リジェクトボタンを、装飾パネルの保持筒に直接装着しうるので、前扉や光源が取付けられた基板等に何ら加工を施す必要はなく、コスト低減が図れる。
【００１５】
請求項５記載の発明によれば、リジェクトボタン、付勢手段及び抜け止め手段を装飾パネルの保持筒に予め組付けることにより、リジェクトボタン等と装飾パネルとを１つの部品として取扱うことができるので、組付作業がより簡単となるとともに、部品の在庫管理等も容易となる。
【発明を実施するための最良の形態】
【００１６】
以下、本発明の一実施形態を、図面に基づいて説明する。
図１は、本発明の一実施形態を適用した遊技機（スロットマシン）の正面図である。なお、以下の説明では、図１における紙面の手前を遊技機の前方、紙面の裏側を後方、左方を左側、右方を右側とする。
【００１７】
遊技機(１)は、遊技媒体を円板状のメダル（コインも含む）とし、このメダルを、筺体(２)の前面における前扉(2a)の右側に設けた後述するメダル投入部(６)に投入することにより、所定のゲームが行われるものである。筺体(２)内には、外周面に複数種類の図柄が描記された３個の回胴体(3a)や、その回転モータ、インデックスセンサ等を内蔵した図柄表示ユニット(３)、各装置を制御するための制御基板、照明装置、及び音響装置、並びにその他の装置が収容されている。
【００１８】
前扉(2a)の前面パネル(2b)には、上方から、図柄表示ユニット(３)の図柄を視認しうる表示窓(2c)、図柄表示ユニット(３)の入賞有効ラインを表示する表示ランプ(４)、入賞有効ライン上に並ぶ図柄が予め定められた組み合わせになった入賞時に発生するメダルの払い出し枚数、クレジット枚数、ボーナス枚数等を表示する表示部(５)、メダルを１枚ずつ筺体(２)内に投入しうるメダル投入部(６)、各種操作スイッチが配置されたスイッチ操作部(７)、払出されるメダル及び返却されるメダルの払出口(８)、払出口(８)から出てくるメダルを受け入れる受け皿(９)が設けられている。
【００１９】
スイッチ操作部(７)には、クレジット状態（予めメダル投入部(６)に投入されたメダル数を電気的に記憶して貯留する状態）のメダルを精算するときに操作される精算スイッチボタン(10)、クレジット状態のメダルを１枚ずつゲームに投資するときに操作される１枚投入スイッチボタン(11)、最大数の３枚のメダルをゲームに投資するときに操作されるＭＡＸベットスイッチボタン(12)、図柄表示ユニット(３)における各回胴体(3a)の回転を開始させるときに操作されるスタートレバー(13)、及び各回胴体(3a)の回転を停止させるときに操作されるストップスイッチボタン(14)、精算ボタン（図示略）等が配置されている。
【００２０】
スロットマシン等の遊技機(１)において,メダル投入部(６)に投入された１枚から３枚のメダルを遊技機(１)の内部に取り込ませ、メダルをゲームに投資する。また、メダル投入部（６）に投入されたメダル数が３枚を超えたときには、その超過分を５０枚分まで電気的に記憶してクレジット状態とし、１枚投入スイッチボタン(11)またはＭＡＸベットスイッチボタン(12)を操作して、メダルをゲームに投資するようになっている。
前記いずれの場合でも、その後スタートレバー(13)を操作することによってゲームが開始される。
【００２１】
メダル投入部(６)より投入されたメダルは、筺体(２)の内部に設けられ、かつメダル投入部(６)の真下に配置された後述するメダルセレクター(15)に送出されて、メダルの真偽及び投入が検知された後、メダルセレクター(15)の下方に配置されたメダル払出ホッパ（図示略）に送出される。
【００２２】
メダルが遊技機(１)の内部に取り込まれた後、スタートレバー(13)を操作すると、３個の回胴体(3a)が一斉に回転して、ゲームが開始される。所定時間が経過した後、各回胴体(3a)に対応するストップスイッチボタン(14)を順次操作して、各回胴体(3a)の回転を個別に停止させると、入賞有効ライン上に並ぶ図柄の組み合わせにより、入賞の有無、及び賞の大小に応じたメダルの配当枚数が決定される。入賞した場合には、メダル払出ホッパにより、配当枚数分だけのメダルが、払出口(８)から受け皿(９)に払い出される。
【００２３】
図２は、前扉(2a)の下半部を後方から見た状態を示し、上記したメダル投入部(６)の下方には、正規のメダルが正しく投入されたことを検出するセンサ（図略）を有するメダルセレクター(15)が設けられている。
【００２４】
図４及び図５にも示すように、メダルセレクター(15)における若干後傾させた板状のセレクターベース(16)の上端隅部には、メダル詰まり解消部材である中央部が開口されたメダル詰まり解消板(17)が、ねじりばね(18)により常時前方に向かって付勢されるようにして、前後方向に回動可能に枢着され、このメダル詰まり解消板(17)とセレクターベース(16)との対向面間には、メダル投入部(６)より投入されたメダル(Ｍ)が通過しうるメダル通路(19)が形成されている。
【００２５】
セレクターベース(16)の前面上部に突設した支持片(20)には、リジェクトレバー(21)の上端が、ピン(22)により前後方向に回動自在に枢着され、その上端部に連設された後向片(21a)の後端部は、セレクターベース(16)を貫通して、後端がメダル詰まり解消板(17)の前面と当接しうるようになっている（図５参照）。
【００２６】
リジェクトレバー(21)の下向片(21b)の前面下部を、後記するリジェクトボタン(31)により押圧して後方に回動させると、後向片(21a)の後端がメダル詰まり解消板(17)の前面と当接して、これが後方に回動させられる。
【００２７】
これにより、メダル通路(19)がメダルの厚さ方向に大きく開かれ、その中に詰まったメダルは、返却ダクト(23)に排出されて返却される。
【００２８】
図１及び図３に示すように、前扉(2a)の前面パネル(2b)におけるスイッチ操作部(７)の左右両側部には、上下の開口幅が前面パネル(2b)の中央に向かって漸次小寸とされた切欠凹部(24)(24)が左右対称的に形成され、両切欠凹部(24)には、合成樹脂よりなる左右２個の装飾パネル、すなわち装飾レンズ(25a)(25b)が嵌め込まれている（図３は右方の装飾レンズを取外して示す）。
【００２９】
各装飾レンズ(25a)(25b)は、図４にも示すように、切欠凹部(24)の奥部において、前面パネル(2b)に装着された基板(26)に取付けた光源、例えば、発光ダイオード(27)の光を透過しうるように、透明または半透明の合成樹脂材により形成されている。
【００３０】
右側の装飾レンズ(25b)は、図６及び図７に拡大して示すように、右側部が後方に向かって円弧状に湾曲する、正面視横長三角形の平板上をなし、上下の端縁の中央部には、係止足片(28)(28)が、また右側端の裏面には、上下２個の固定筒(29)(29)が、それぞれ後向きに一体的に連設されている。
【００３１】
装飾レンズ(25b)の右方寄りの中央部には、前扉(2a)を筐体(２)にロックするための施錠用シリンダ(30)（図３参照）の前端部が嵌合される貫通孔を有する円筒部(31)が一体的に形成されている。
【００３２】
さらに、装飾レンズ(25b)の左端部の裏面には、図４にも示すように、前後方向を向く保持孔(32)を有する保持筒(33)が後向きに突設されている。この保持筒(33)は、装飾レンズ(25b)を右方の切欠凹部(24)に嵌合した際、上述したメダルセレクター(15)におけるリジェクトレバー(21)の下向片(21b)と対向する位置に設けてある。
【００３３】
保持筒(33）には、リジェクトレバー(21)を押動するためのリジェクトボタン(34)が、次のように組付けられている。
【００３４】
図４の断面図に示すように、リジェクトボタン(34)は、保持筒(33)よりも長寸の段付軸状をなし、前端部の拡径軸部(34a)の後方の小径軸部(34b)は、保持筒(33)の保持孔(32)に遊嵌されて、後端部が保持筒(33)の後方に突出している。
【００３５】
保持筒(33)の保持孔(32)内において小径軸部(34b)には、付勢手段である圧縮コイルばね(35)が嵌合され、その前後両端は、それぞれ拡径軸部(34a)後端の拡径段部(34c)と、保持筒(33)の後端の内向環状片(33a)の内端とに当接している。
【００３６】
(36)は、小径軸部(34b)の後端部外周面の環状溝に、保持筒(33)の後端と当接しうるように嵌着された抜け止め手段としての抜け止めリングである。
これにより、リジェクトボタン(34)は、常時前方に向かって付勢されるとともに、拡径軸部(34a)の前端部が保持孔(32)の前端より若干突出した状態で組付けられている。
【００３７】
上記の装飾レンズ(25b)を若干後方に弾性変形させて切欠凹部(24)に押し込むと、その上下の係止足片(28)の外面に形成した係止爪(28a)と、保持筒(33）の内方の外周面に突設された係止爪(33b）とが、それぞれ切欠凹部(24)の奥端における前面パネル(2b)の後端縁と内方の開口縁に弾性係合することにより仮止めされ、その後、上下の固定筒(29)に向かって、前面パネル(2b)の裏面から止めねじ（37)(図２参照）を螺挿することにより、切欠凹部(24)に着脱可能に装着される。
【００３８】
このようにして、装飾レンズ(25b)を前面パネル(2b)の切欠凹部(24)に装着すると、リジェクトボタン(34)の後端は、メダルセレクター(15)におけるリジェクトレバー(21)の下向片(21b)の下端部前面と近接して対向するようになる（図４、図５参照）。
【００３９】
従って、投入メダルがメダルセレクター(15)の内部で詰まった際にリジェクトボタン(34)を押すと、リジェクトレバー(21)が後向きに回動させられ、メダル詰まり解消板(17)を後方に回動させてメダル通路(19)を大きく開くことにより、詰まったメダルは返却ダクト(23)に排出されるようになる。
【００４０】
なお、左方の装飾レンズ(25a)は、スタートレバー(13)の挿通孔を有している以外、右方の装飾レンズ(25b)と左右対称で同一構造となっている。
【００４１】
以上説明したように、上記実施形態の遊技機においては、前扉(2a)の前面パネル(2b)におけるメダルセレクター(15)の取付部付近の右側端部に切欠凹部(24)を設け、この切欠凹部(24)に、前面パネル(2b)とは別体の小型の装飾レンズ(25b)を着脱可能に装着し、この装着レンズ(25b)に、メダルセレクター(15)内で発生したメダル詰まりをを解消するためのメダル詰まり解消板(17)を押動操作するリジェクトボタン(34)を取付けてあるため、リジェクトボタン(34)の取付作業を、前面パネル(2b)にストップスイッチボタン(14)等の他の部品を取付ける作業とは切り離して、単独で行うことができ、作業性が向上する。
【００４２】
また、装飾レンズ(25b)のみを取外すだけで、リジェクトボタン(34)のメンテナンス等を容易に行うことができる。
【００４３】
さらに、前面パネル(2b)にリジェクトボタン(34)を設けていないため、その装飾領域を増大させて、デザイン上の設計の自由度を高めたりすることができ、前面パネル(2b)の見栄えを向上させうる。
【００４４】
リジェクトボタン(34)を、予め装飾レンズ(25b)に設けた保持筒(33)内に組付けておき、それらを１つの部品として取扱うことができるので、組付作業がより簡単になるとともに、部品の在庫管理等も容易となる。
しかも、前扉(2a)や切欠凹部(24)の奥部の基板(26)等に、リジェクトボタン(34)を取付けるための加工を何ら施す必要がないので、コスト低減が図れる。
【図面の簡単な説明】
【００４５】
【図１】本発明を適用した遊技機の正面図である。
【図２】同じく、前扉の要部の後面図である。
【図３】同じく、遊技機の斜視図である。
【図４】図１のIＶ−IＶ線拡大横断平面図である。
【図５】図４のＶ−Ｖ線縦断側面図である。
【図６】装飾レンズとそれに組付けられたリジェクトボタンの斜視図である。
【図７】同じく後方から見た斜視図である。
【符号の説明】
【００４６】
(１)遊技機
(２)筺体
(2a)前扉
(2b)前面パネル
(2c)表示窓
(３)図柄表示ユニット
(3a)回胴体
(４)表示ランプ
(５)表示器
(６)メダル投入部
(７)スイッチ操作部
(８)払出口
(９)受け皿
(10)精算スイッチボタン
(11)１枚投入スイッチボタン
(12)ＭＡＸベットスイッチボタン
(13)スタートレバー
(14)ストップスイッチボタン
(15)メダルセレクター
(16)セレクターベース
(17)メダル詰まり解消板（メダル詰まり解消部材）
(18)ねじりばね
(19)メダル通路
(20)支持片
(21)リジェクトレバー
(21a)後向片
(21b)下向片
(22)ピン
(23)返却ダクト
(24)切欠凹部
(25a)(25b)装飾レンズ（装飾パネル）
(26)基板
(27)発光ダイオード（光源）
(28)係止足片
(28a)係止爪
(29)固定筒
(30)施錠用シリンダ
(31)円筒部
(32)保持孔
(33)保持筒
(33a)内向環状片
(33b)係止爪
(34)リジェクトボタン
(34a)拡径軸部
(34b)小径軸部
(34c)拡径段部
(35)圧縮コイルばね（付勢手段）
(36)抜け止めリング（抜け止め手段）
(37)止めねじ
【図１】
2006061339.tif 000003
【図２】
2006061339.tif 000004
【図３】
2006061339.tif 000005
【図４】
2006061339.tif 000006
【図５】
2006061339.tif 000007
【図６】
2006061339.tif 000008
【図７】
2006061339.tif 000009